(57)【特許請求の範囲】
【請求項１】
ピストンシリンダー装置の、可動部に設けられているラックと噛み合うセクターギアにより上記装置を駆動し、セクターギアを駆動するモーターへの通電をスイッチング部によって制御する電動ガンにおいて、
スイッチ接点及びこれを開閉する操作子を備えて構成されるスイッチング部と、
セクターギアとともに回転する回転部との係合により本体前後方向へ所要量移動可能なカウンターレバーと、
スイッチング部との係合によってスイッチ接点をオンとすることができるとともに、スイッチ接点をオフとする方向へ弾性体によって付勢されたカウンターストッパーと、
カウンターレバーとカウンターストッパーとの間においてそれらとほぼ平行な方向へ移動可能かつそれらと接触可能な方向へ移動可能に設けられ、カウンターレバーと係合可能な一方の係合部並びにカウンターストッパーと係合可能な他方の係合部を有するカウンターとを具備し、
一方の係合部の位置をカウンターにおいてセットし、発射操作を行ないセクターギアとともに回転する回転部の動きに伴ってカウンターレバーが移動し、それと一方の係合部にて係合するカウンターを移動させ、他方の係合部にカウンターストッパーが係合して発射動作を行ない、他方の係合部にカウンターストッパーが係合しない状態ではスイッチング部がオフとなるように構成された発射回数制御装置。
【請求項２】
カウンターは、カウンターレバー及びカウンターストッパーと平行な移動方向へ細長く伸びた形状を有し、その前部にて、前後方向へ移動可能かつ後部が上下に回転可能に、長孔に支軸により取り付けられ、後部がカウンターレバー及びカウンターストッパーと接触可能な方向へ移動可能にされている請求項１記載の電動ガンにおける発射回数制御装置。
【請求項３】
カウンターは、一方の係合部と他方の係合部を長手方向の両側部に、夫々複数個有し、一方の係合部と他方の係合部は、等間隔に設けられた凹部で構成され、一方の係合部と他方の係合部の各凹部の位置は凹部間隔の２分の１だけずれて前後方向に並んだ構成を有している請求項１記載の電動ガンにおける発射回数制御装置。
【発明の詳細な説明】
【技術分野】
【０００１】
本発明は、ピストンシリンダー装置の、可動部に設けられているラックと噛み合うセクターギアにより上記装置を駆動し、セクターギアを駆動するモーターへの通電をスイッチング部によって制御する電動ガンにおいて、連続発射回数を制御する装置に関するものである。
【背景技術】
【０００２】
例えば特開平３−２２１７９３号等に開示されているように、電動式エアガンと通称される銃があり、それはピストンシリンダー装置のピストンをモーター駆動のギアによって駆動し、圧縮空気を生成して、弾丸を発射する方式である。このようなエアガンでは、引き金操作中は弾丸が発射され続けるので、あっという間に撃ち尽くしてしまうということになる。そこで、引き金を引き続けても、予めセットされた弾数しか発射されないように制御することが試みられている。
【０００３】
しかし、従来の制御方式を搭載したものは、ＦＥＴ（電界効果型トランジスタ）を使用した駆動回路やタイマーを使用しており、これらは銃のコストを高くするという問題がある。またタイマーを使用する場合、バッテリーの状態によっては同じ時間設定であっても４連射となったり、２連射にとどまったりするという事態が起こり得る。
【０００４】
一方出願された発明、考案の中には、例えば実開平６−３０６９５号のものがあり、同考案は電動式エアガンや、電動式玩具銃において、引き金を引いた際に流れる電流を検出し、電流の流れる時間を制御することにより発射時に任意の点射数で点射（バースト）することが可能になる装置を提案している。しかし、この装置は引き金から指が離れ、スイッチが開いた場合に通電が休止されるものであり、それ以上の事柄を示唆するものではなく、また連射を制限する構成も持っていない。
【０００５】
【特許文献１】特開平３−２２１７９３号
【特許文献２】実開平６−３０６９５号
【発明の開示】
【発明が解決しようとする課題】
【０００６】
本発明は前記の点に着目してなされたもので、その課題は、電動ガンにおいて連続発射回数即ち点射数の制御を正確に行えるようにすることである。また本発明の他の課題は、コスト上昇を招かずに連続発射回数の制御を実現することである。
【課題を解決するための手段】
【０００７】
前記の課題を解決するため本発明は、ピストンシリンダー装置の、可動部に設けられているラックと噛み合うセクターギアにより上記装置を駆動し、セクターギアを駆動するモーターへの通電をスイッチング部によって制御する電動ガンにおいて、スイッチ接点及びこれを開閉する操作子及びスイッチ接点を備えて構成されるスイッチング部と、セクターギアとともに回転する回転部との係合により本体前後方向へ所要量移動可能なカウンターレバーと、スイッチング部との係合によってスイッチ接点をオンとすることができるとともに、スイッチ接点をオフとする方向へ弾性体によって付勢されたカウンターストッパーと、カウンターレバーとカウンターストッパーとの間においてそれらとほぼ平行な方向へ移動可能かつそれらと接触可能な方向へ移動可能に設けられ、カウンターレバーと係合可能な一方の係合部並びにカウンターストッパーと係合可能な他方の係合部を有するカウンターとを具備し、一方の係合部の位置をカウンターにおいてセットし、発射操作を行ないセクターギアとともに回転する回転部の動きに伴ってカウンターレバーが移動し、それと一方の係合部にて係合するカウンターを移動させ、他方の係合部にカウンターストッパーが係合して発射動作を行ない、他方の係合部にカウンターストッパーが係合しない状態ではスイッチング部がオフとなるように構成するという手段を講じたものである。
【０００８】
本発明において、ピストンシリンダー装置は圧縮エアを生成するものであるが、ピストンシリンダー装置では、通常、ピストンが往復する可動部であるのに対して、ピストンを固定しシリンダーを往復動作させることも可能である。また本発明は、ピストンとシリンダーのどちらを可動部としても成立するので、ピストンシリンダー装置の可動部とはピストンとシリンダーのどちらでも良い。
【０００９】
可動部には、その往復動作方向に沿うラックが設けられ、ラックと噛み合うセクターギアによりピストンシリンダー装置の可動部を駆動する。セクターギアは、可動部を駆動するためにラックと噛み合う有歯部を持つとともに、可動部を往方向の限界位置まで駆動したのち、急速に圧縮動作させるために噛み合いのない状態とする無歯部を持つ。可動部は往復動作により圧縮エアを生成するために、往方向動作でのセクターギアとラックの噛み合いにより、例えばコイルばねのような付勢部材をその付勢力に抗して蓄圧する構成を取り、かつ復方向動作で付勢部材の付勢力により圧縮動作を行うことが好都合である。
【００１０】
スイッチング部は、モーターへの通電を制御する手段である。電力のモーターへの供給を制御するために、スイッチ接点と、その接点を開閉操作する操作子を有している。また操作子による操作を受けて、連絡部材を動かし、スイッチ接点を開閉する方式を取ることができる。このようにスイッチング部は、操作子としてのトリガー即ち引き金、連絡部材及びスイッチ接点の例えば３部分から構成される。このスイッチング部は、トリガーを引くと連絡部材を介してスイッチ接点がオンとなり、トリガーを引くことを止めるとスイッチ接点がオフとなる。
【００１１】
よって本発明の対象である電動ガンは、スイッチング部を操作すると、モーターが始動し、セクターギアの回転に伴い、その有歯部と噛み合うラックを設けた可動部が往方向動作を行い、可動部を往方向動作の限界位置まで駆動する。この駆動時に付勢部材の蓄圧が行われ、蓄圧の解放に伴い、可動部の復方向動作により、可動部によって固定部との間で空気の圧縮が行われ、圧縮エアが生成され、圧縮エアを固定部側の噴出ノズルから噴出させることができるものである。しかし、付勢部材を使用しなくても可動部の往復動作による圧縮エアの生成は可能であり、そのようなものも本発明の対象である。
【００１２】
このような電動ガンにおいて、カウンターストッパーと、カウンターレバー、カウンターの３部分が、スイッチング部とセクターギアとの間に介装され、連続発射回数（点射数）の制御を行う。本発明の目的とする連続発射回数とは１回のトリガー操作で行われる発射動作の回数のことで、既に一部触れたように点射或いは○点バーストとも称し、例えば２回、３回等少ない回数の任意の数である。弾丸が装填されていれば１回のトリガー操作ごとに２発、３発等の連続発射が行なわれ、２発、３発等の連発ののち停止する。
【００１３】
カウンターレバーは、セクターギアとともに回転する回転部と係合して所要量（距離）移動可能である。カウンターストッパーは、スイッチング部の部材と係合可能であり、そのスイッチング部の部材の動作により所要量（距離）移動可能に設けられている。カウンターは、カウンターストッパーとカウンターカバーとの間に配置され、それらとほぼ平行な方向へ移動可能かつ位置調節可能に設けられている。
【００１４】
前記のように、スイッチング部はモーターへの通電を制御する手段であり、スイッチング部とモーター駆動のセクターギアとの間に介装されている、上記のカウンターストッパーと、カウンターレバーによりカウンターの位置を制御し、カウンターに設けられている係合突部の数によって発射回数（点射数）が制御される。カウンターには、カウンターレバーに係合可能な一方の係合部と、カウンターストッパーに係合可能な他方の係合部の２種類の係合部が設けられ、夫々複数個の係合凹部を有しており、カウンターレバーはセクターギアとともに回転する回転部により所要距離後方へ移動して、他方の係合部と係合するカウンターを後退させ、カウンターは１回後退するごとに他方の係合部とカウンターストッパーと係合する位置が後方へずれ、係合しない常態になるとスイッチング部がオフとなるように構成されている。
【００１５】
カウンターレバーは、回転部が回転するごとに所定距離後方へ移動したあと、次の後方移動までの間に前方の位置へ戻る必要があり、そのために、常時、任意の力で前方へ付勢されていることが望ましい。またカウンターも一方の係合部により後退させられるので、後退方向への力に対抗するために、常時、任意の力で前方へ付勢されていることが望ましい。またスイッチング部はトリガーを引くとスイッチ接点がオンとなり、引くことを止めるとオフとなるようにしているので、この場合もスイッチ接点を有する部材を付勢部材により付勢しておくことが望ましい。
【発明の効果】
【００１６】
本発明は上記のように構成されかつ作用するものであるから、いわゆる電動ガンにおいて、連続発射回数若しくは連続発射弾数の制御を正確に行えるものであり、特にスイッチング部によって通電を制御するとともに、カウンターストッパーとカウンターレバーによりカウンターの位置を調節し、機械的に連続発射回数若しくは連続発射強弾数を制御するようにしたので、バッテリー容量の多少に拘らず正確な点射(バースト)が可能になり、電気的制御によるコスト上昇の問題も招かないという顕著な効果を奏する。
【発明を実施するための最良の形態】
【００１７】
以下図示の実施形態を参照して、本発明をより詳細に説明する。図１は、本発明を適用した電動ガンの側面説明図、図２は本発明に係る発射回数制御装置の全体を示しており、Ａは側面図、Ｂは正面図である。
【００１８】
図において、１１はピストンシリンダー装置であり、例示の場合、シリンダー１２が固定され、ピストン１３が可動部となったオーソドックスなタイプであり、シリンダー前部にはノズル１４が設けられていて、圧縮エアを噴射する構成である。弾丸Ｂはノズル１４の直前に設定された装弾部１５に供給され、ピストン１３の後退により蓄圧された付勢部材１６の蓄圧力解放で生成される圧縮エアの噴射により発射される。なお、弾丸Ｂは、発射動作に連動して、ノズル部１４が一時的に後退することにより、装弾部１５に供給される。
【００１９】
ピストンシリンダー装置１１の可動部であるピストン１３にはその可動方向に沿ってラック１７が設けられており、シリンダー１２より出ているピストン後端部付近の本体に、ラック１７と噛み合うセクターギア２０が軸支されている。セクターギア２０はラック１７と噛み合う歯列を有する有歯部１８と、ラック１７と噛み合わない状態としてピストン１３を急速に圧縮動作させるための無歯部１９とを持っており、図示しない電動モーターの駆動により、１回転でピストン１３の往方向の限界位置までの後退駆動と、蓄圧された付勢部材１６の復方向動作による圧縮エアの生成とを行なう。セクターギア２０は、それとともに回転する回転部２１を有しており、後述するカウンターレバー３３を係合駆動する。
【００２０】
モーターへの通電を制御するためにスイッチング部２２が設けられており、例示のものは電力のモーターへの供給を制御するために、スイッチ接点２３、２４と、スイッチ接点２３、２４を開閉するための操作子２５としてのトリガー即ち引き金と、スイッチ接点２３、２４と操作子２５とを連絡する連絡部材２６の３部分から構成される。スイッチ接点２３、２４は、トリガーとともに本体に軸支されている連絡部材２６の自由端と係合可能に設けられており、かつ係合により押し上げられると一方の接点２３が移動しながら他方の接点２４を摺動することにより良導接触状態を保つ、セルフクリーニング機能を有している。連絡部材２６は軸支部を中心にトリガーを押し戻す方向へ弾性体２７にて付勢されており、スイッチ接点２３、２４も弾性体２８にて、接点を開く方向へ付勢されており、その付勢力は連絡部材２６の弾性体２７と同様に、移動側である一方の接点２３に対して固定側の接点２４から離れる方向即ち図２では時計方向に作用する。一方の接点２３は、他方の固定接点２４側に設けた長孔２９ａに軸支されていることにより、上下動可能かつ縦位置から後方へ回転可能になっている。２９ｂは支軸、３１は係合子であり、後述するカウンター３０の相手係合子３２と係合可能になっている。
【００２１】
セクターギア２０とスイッチング部２２との間には、上記カウンター３０と、カウンター３０を制御するためのカウンターレバー３３及びカウンターストッパー３４が設けられている。カウンター３０は、セクターギア２０とスイッチング部連絡部材２６との間に位置して、その前部にて前後方向へ移動可能かつ後部が上下に回転可能に本体側の長孔３５へ支軸３６により取り付けられている。またカウンター３０は、カウンターレバー３３と係合可能な一方の係合部３７とカウンターストッパー３４と係合可能な他方の係合部３８とを有しており、一方の係合部３７は等間隔に設けられた例えば３個の係合凹部Ａ、Ｂ、Ｃを有し、他方の係合部３８も同様の態様の係合凹部Ｄ、Ｅ、Ｆを有しているが、一方の係合部３７と他方の係合部３８の各凹部の位置は凹部間隔の２分の１だけずれて前後方向に並んでいる。前記の係合部３２はカウンター３０の前部に設けられており、また、カウンター自体前方へ弾性体３９によって付勢されている。
【００２２】
カウンターレバー３３は、カウンター３０の一方の係合部３７と係合する突部４０を有しており、本体側上部の長孔４１に支軸４２によって前後方向へ移動可能かつ上下に回転可能に設けられており、セクターギア２０とともに回転する回転部２１との係合により後方へ所要量（距離）移動可能である。また、カウンターレバー３３は弾性体３９′によって復帰方向に付勢されている（図１７参照）。カウンターストッパー３４は、連絡部材２６とほぼ同高かつ前方の位置にて本体側の下部に支軸４３により回転可能に軸支されており、カウンター３０の他方の係合部３８と係合する突部４４を有していて、この突部４４がカウンター３０から離れる方向へ弾性体４５によって付勢されている。カウンターストッパー３４は連絡部材２６に設けられた中間突部４６と係合可能な相手突部４７を有している。また連絡部材２６の先端には先端係合部４８が設けられており、スイッチ接点側の相手係合部４９と係合してスイッチ接点部分を押し上げ可能とされている。
【００２３】
カウンター３０を取り付けている長孔３５は、係合部３７、３８の長さ以上に長く形成されており、最も前方へ移動させたときにはカウンター３０はカウンターストッパー３４によって操作されない状態となり、また最も後方へ移動させたときにはカウンター３０の相手係合部３２がスイッチ接点側の係合子３１と係合しない状態となる。なお操作子２５である引き金は、連絡部材２６と端点２５ａ、２６ａで接触可能であり、戻し方向への付勢力を受けている。
【００２４】
このように構成された本発明の発射回数制御装置１０の作動を次に説明する。図３ないし図１４は３発に連続発射回数を制御する例であり、３点射或いは３点バーストなどと呼ばれるもので、図示の場合は最多連続発射となる。本発明の電動ガンＧについて何も操作されていない状態は図１に示されており、引き金を引いて発射操作を行うと、図３の状態となる。
【００２５】
即ち、操作子２５が操作されることにより端点２５ａ、２６ａにて操作力が伝えられ、連絡部材２６を反時計回りに回転させ、連絡部材２６の中間突部４６が相手突部４７と接して、カウンターストッパー３４を時計回りに回転させることになり、カウンターストッパー先端の突部４４がカウンター３０を最後部の係合凹部Ｄに接して押し上げ、時計回りに回転させる。このとき、カウンター３０の一方の係合部３７において、最初の係合凹部Ａにカウンターレバー３３の先端の突部４０が係合した状態となり、また連絡部材２６の先端係合部４８がスイッチング部２２の相手係合部４９と接して可動スイッチ接点２３を押し上げ、接点２４と摺接するので通電状態となる（図４Ａ、Ｂ）。
【００２６】
モーターが起動してセクターギア２０が回転を開始すると、有歯部１８がピストンシリンダー装置１１のラック１７と噛み合い、ピストン１３を後退させ、それに伴い付勢部材１６を蓄圧状態とする（図５）。セクターギア２０が有歯部１８によるラック１７との噛み合いを脱しようとする直前になると、セクターギア側の回転部２１がカウンターレバー３３の係合端３３ａと係合し、カウンターレバー３３を後退させることになる。従ってカウンターレバー３３の先端の突部４０が一方の係合部３７の係合凹部Ａと噛み合っているカウンター３０を後退させ、その過程で他方の係合部３８の係合凹部Ｄにあったカウンターストッパー３４の先端の突部４４が山を乗り越えて次の係合凹部Ｅへ移動し、カウンター３０の移動を止める。これによりカウンター３０は係合凹部ＤからＥへと１山移動したことになる。
【００２７】
この間にセクターギア２０は有歯部１８から無歯部１９へと回転し、蓄圧状態にあった付勢部材１６が一気に解放されるので、ピストン１３により圧縮エアが生成され、ノズルから噴出し、第１発目の弾丸Ｂを発射することができるものである。ピストン１３の前進は、セクターギア２０の無歯部１９にて行われ、カウンターレバー３３は回転部２１から脱して、次に有歯部１８がラック１７と噛み合うまでの間に、図示しない付勢手段により前進して定位置に戻り、カウンター３０の２番目の係合凹部Ｂと噛み合う（図６）。
【００２８】
さらにセクターギア２０が回転して２回目の回転が始まると、有歯部１８とラック１７の噛み合いによりピストン１３が後退して付勢部材１６の蓄圧が進行し、無歯部１９においてピストン１３が前進を始める直前から、回転部２１が再びカウンターレバー３３の係合端３３ａと係合してカウンターレバー３３を１山分後退させることになり、カウンターレバー３３の先端の突部４０が一方の係合部３７の係合凹部Ｂと噛み合った状態でカウンター３０を後退させ、その過程で他方の係合部３８の係合凹部Ｅにあったカウンターストッパー３４の突部４４が１山乗り越えて次の凹部Ｆへ移動し、カウンター３０の移動を止める。図７の直後の状態である。セクターギア２０が有歯部１８から無歯部１９へと回転すると、蓄圧状態にあった付勢部材１６によりピストン１３が一気に前進し、圧縮エアが生成され、第２発目の弾丸を発射し得ることとなる。第２発目を発射した後において、カウンターレバー３３は回転部２１から脱して、次に有歯部１８がラック１７と噛み合うまでの間に、図示しない付勢手段により前進して定位置に戻り、カウンター３０の３番目の係合凹部Ｃと噛み合う（図８）。
【００２９】
さらにセクターギア２０が３回目の回転に入ると、これまでと同様に、有歯部１８とラック１７が噛み合うにつれてピストン１３が後退し、付勢部材１６の蓄圧が進行し、さらに、無歯部１９へ到ってピストン１３が前進を始める直前から、回転部２１が三度目のカウンターレバー３３との係合に入り、カウンターレバー３３を長孔３５に沿って１山分後退させ、先端の突部４０が一方の係合部３７の凹部Ｃと噛み合った状態でカウンター３０を後退させる（図９）。その過程で他方の係合部３８の凹部Ｆにあったカウンターストッパー３４の突部４４が凹部より先へ移動し、一方、セクターギア２０は有歯部１８から無歯部１９へと回転し、蓄圧状態にあった付勢部材１６の蓄力が解放されてピストン１３が一気に前進し、生成された圧縮エアにより第３発目の弾丸の発射が行なわれる。
【００３０】
設定した３点射が終了する間、カウンター３０はカウンターレバー先端の突部４０と係合凹部Ｃにおける噛み合いにより後退させられ、後退時にカウンター３０の相手係合部３２が係合しているスイッチング部２２の可動側端子２３に設けられている係合子３１を係合により時計方向に回転させる（図１０Ａ、Ｂ）。スイッチング２２のスイッチ端子２３は回転により連絡部材２６の先端係合部４８からも解放されて弾性体２８に引っ張られ、固定側のスイッチ端子２４から離れるので、電流が遮断される（図１１）。次いで、弾性体２８によりスイッチ端子２３が元の位置に戻り、非通電状態となる（図１２）。
【００３１】
操作子２５を引くことを止めると、連絡部材２６は弾性体２７によって元の位置に戻り、連絡部材２６が戻ることによってカウンターストッパー３４も弾性体４５によって元の位置へ戻る（図１３）。さらにカウンターストッパー３４の元位置復帰によりカウンター３０が反時計回りに回転し、カウンターレバー３３の先端の空部４０からカウンター３０の係合凹部Ｃが解放され、カウンター３０は長孔３５に沿って右方へ移動し元の位置に戻る（図１４）。
【００３２】
図１５は２点バースト（２発の点射）を示しており、これはカウンター３０の位置を１山分ずらせ、係合凹部Ｂの位置へカウンターレバー３３の突部４０をセットした状態とすることによって可能になる。したがって、外部操作によってカウンター３０の位置を移動させるものであり、そのための構成は図１７に示されている。なお、３点バーストの場合は、図１７の数字３の位置にインデックス５１の位置を合わせるものとし、単発また多数連発の場合も夫々の設定位置に合わせれば良いものである。例示されているインデックス５１はカウンターレバー３３の支軸４２を利用しており、それを本体に対して前後移動可能に設けたスライド板５０の長孔５２に配置し、スライド板下部に設けた掛止部５３によってカウンター３０の前進位置を決めることで発射回数を制御する構成である。
【００３３】
２点バーストに関する図１５では、図６のようにカウンター３０の２番目の係合凹部Ｂにカウンターレバー３３の先端の突部４０を移動させた状態にする。従って２点バーストの場合に引き金を引くと、３点バーストにおける図６の段階から図１３の段階が実施されることになり、作動の説明も３点バーストにおける２発目からの説明と全く変わるところはないので、その説明を援用し詳細な説明は繰り返さない。図１６は、２点バースト開始時のもので図２と同じ状態であるが、２点バースト開始の段階ではスイッチング部２２もこの段階から始まることを表すために、図１６を示しているものである。
【００３４】
図１８はセミオート、即ち１点射、１点バーストの状態を示しており、これはカウンター３０の位置を２山分ずらせて係合凹部Ｃの位置へカウンターレバー３３の先端の突部４０をセットした状態とすることによって可能となる。この場合のカウンター３０の位置設定は、図１７に示すようにインデックス５１を１の指数に合わせることによって行なう。この設定により、スライド板下部の掛止部５３によってカウンター３０が後退させられるため、カウンターレバー３３の先端の突部４０がカウンター３０の一方の係合部３７の係合凹部Ｃの位置に置かれることになり、これは３点バーストの動作において第３発目の弾丸を発射する段階に相当する。従ってセミオートモードにすると、１回引き金をひくたびにスイッチング部２２が通電状態となり、１回の発射動作が行われることになるので最も節弾になる。図１９はセミオートモードに対応するスイッチング部２２の状態を示している。
【００３５】
図２０以下は、フルオート、即ち連射の状態を示しており、カウンター３０をカウンターストッパー３４によって押し上げられない位置に移動させておくことによって可能となる。カウンター３０は前方へずらしても、後方へずらしても良いが、図２０は前方へずらす形態であるので、図１７のインデックス５１は数字４の位置に合わせることになる。このフルオートモードでは、操作子２５の引き金を引くと、端点２５ａ、２６ａの押圧により連絡部材先端の係合部４８がスイッチ接点２３の相手係合部４９と接してこれを押し上げ、スイッチ接点２３、２４が摺接して導通状態になり、モーターが起動してセクターギア２２を回転させ、ピストン１３を後退させるとともに、蓄圧した付勢部材１６の蓄圧力解放によりピストン１３を前進させ、装弾部に圧縮エアを噴射して弾丸を発射させる動作が繰り返される。
【００３６】
図２２は、カウンター３０を後方へずらしてカウンターストッパー３４により押し上げられないようにした例を示しており、フルオートモードである。この場合図１７におけるインデックス５１は、１よりも前に長孔５２を延長して設ける０の数字に合わせることになる。このフルオートモードでも操作子２５を引く操作により端点２５ａ、２６ａの接触を介して、連絡部材２６の先端係合部４８がスイッチ接点２３の相手係合部４９と接して
これを押し上げ、スイッチ接点２３、２４を導通状態にするので、前記フルオートモード同様に弾丸を発射させる動作が引き金を引き続けている間中接続するものとなる。
【００３７】
このように本発明によれば、電動ガンの連続発射回数を制限するようにも制限しないようにも制御することが可能になる。特に本発明の装置では、カウンター３０の位置の設定により、点射数の調節及び連発の選択が可能であり、カウンター３０の位置を発射動作に連動して移動させ、発射回数の制御を行うという機械的かつ確実な方式で実現することが可能になった。
【図面の簡単な説明】
【００３８】
【図１】本発明に係る電動ガンにおける発射回数制御装置の１例を示す側面図。
【図２】スイッチ部との関係を説明するため同上の装置を示すもので、Ａは側面図、Ｂは正面図。
【図３】３点バーストにおいて引き金を引いた状態を示す側面図。
【図４】図３に対応するもので、Ａは側面図、Ｂは正面図。
【図５】ピストンが後退した状態を示す側面図。
【図６】１発目が発射された状態を示す側面図。
【図７】２発目のために引き金を引いた状態を示す側面図。
【図８】２発目が発射された状態を示す側面図。
【図９】３発目のために引き金を引いた状態を示す側面図。
【図１０】図９に対応するもので、Ａは側面図、Ｂは正面図。
【図１１】３発目が発射された状態を示す側面図。
【図１２】図１１に対応するもので、Ａは側面図、Ｂは正面図。
【図１３】３点バースト終了時の状態を示す側面図。
【図１４】図１３に対応するもので、Ａは側面図、Ｂは正面図。
【図１５】２点バーストの説明のための側面図。
【図１６】図１５に対応するもので、Ａは側面図、Ｂは正面図。
【図１７】点射数設定のためのスライド板を示す側面図。
【図１８】セミオートモードの説明のための側面図。
【図１９】図１８に対応するもので、Ａは側面図、Ｂは正面図。
【図２０】フルオートモードの例１の説明のためのもので、Ａは操作前の側面図、Ｂはスイッチ操作を示す側面図。
【図２１】図２０に関係するもので、Ａは操作中の側面図、Ｂはスイッチ操作を示す正面図。
【図２２】フルオートモードの例２の説明のためのもので、Ａは操作前の側面図、Ｂはスイッチ操作を示す側面図。
【図２３】図２２に関係するもので、Ａは操作中の側面図、Ｂはスイッチ操作を示す側面図。
【符号の説明】
【００３９】
１０  制御装置
１１  ピストンシリンダー装置
１３  ピストン
１５  装弾部
１６  付勢部材
１７  ラック
１８  有歯部
１９  無歯部
２０  セクターギア
２１  回転部
２２  スイッチング部
２３、２４  スイッチ接点
２５  操作子
２５ａ、２６ａ  端点
２６  連絡部材
２７、２８  弾性体
２９ａ  長孔
３０  カウンター
３１  係合子
３２  相手係合子
３３  カウンターレバー
３４  カウンターストッパー
３５  長孔
３６  支軸
３７  一方の係合部
３８  他方の係合部
３９  弾性体
４０  突部
４１  長孔
４２、４３  支軸
４４  突部
４５  弾性体
４６  中間突部
４７  相手突部
４８  先端係合部
４９  相手係合部
５０  スライド板
５１  インデックス
５２  長孔
５３  掛止部
【図１】
0004745011.tif 000002
【図２】
0004745011.tif 000003
【図３】
0004745011.tif 000004
【図４】
0004745011.tif 000005
【図５】
0004745011.tif 000006
【図６】
0004745011.tif 000007
【図７】
0004745011.tif 000008
【図８】
0004745011.tif 000009
【図９】
0004745011.tif 000010
【図１０】
0004745011.tif 000011
【図１１】
0004745011.tif 000012
【図１２】
0004745011.tif 000013
【図１３】
0004745011.tif 000014
【図１４】
0004745011.tif 000015
【図１５】
0004745011.tif 000016
【図１６】
0004745011.tif 000017
【図１７】
0004745011.tif 000018
【図１８】
0004745011.tif 000019
【図１９】
0004745011.tif 000020
【図２０】
0004745011.tif 000021
【図２１】
0004745011.tif 000022
【図２２】
0004745011.tif 000023
【図２３】
0004745011.tif 000024